(57)【要約】 【課題】  飲食動作の進行状況に応じて適切に情報を配信する情報配信システムを提供する。【解決手段】  表示面が上方に臨む表示パネル３１２を有したテーブル型の端末装置３００上に、飲食物が収容した食器を載置すると、食器に設けたＩＣタグ６１０のタグ情報を食器検出手段３１７にて読み取る。食器種別認識手段３１９Ｂがネットワークを介してサーバ装置へタグ情報を配信し、飲食物のメニューデータを検索させ、メニューＩＣ番号をサーバ装置から取得する。飲食進行状況判断手段３１９Ｃが残量検出手段３１８で検出する飲食物の残量に基づき、飲食動作が終了間近であるかあるいは終了かを判断すると、メニューＩＣ番号に基づいて、サーバ装置で副飲食物のメニューデータを検索させて取得し、画面表示させる。飲食動作の進行状況に対応した適切なタイミングで副飲食物を報知して追加注文を促す。【選択図】 図２
2005284504.tif 000002
【特許請求の範囲】
【請求項１】
報知手段と、
飲食物の残量を検出する残量検出手段と、
前記残量検出手段にて検出した前記飲食物の残量に基づいて飲食動作の進行状況を判断する飲食進行状況判断手段と、
前記飲食進行状況判断手段により判断される前記飲食動作の進行状況に応じて前記報知手段により情報を報知させる報知制御手段と、
を具備したことを特徴とした情報配信装置。
【請求項２】
請求項１に記載の情報配信装置であって、
前記飲食物の内容に関する内容情報を有し前記飲食物に関するメニューデータを記憶するメニューデータ記憶手段と、
前記メニューデータに基づいて前記飲食物の内容を検出するメニュー検出手段とを備え、
前記報知手段により報知させる前記情報は、前記メニュー検出手段により検出された前記飲食物の内容に応じた情報を含む
ことを特徴とした情報配信装置。
【請求項３】
請求項２に記載の情報配信装置であって、
前記メニューデータは、前記飲食物を収容する食器の種別に関する食器情報を有し、
前記メニュー検出手段は、前記飲食物を収容する食器の種別を検出し、前記メニューデータに基づいて前記飲食物の内容を検出する
ことを特徴とした情報配信装置。
【請求項４】
請求項２または請求項３に記載の情報配信装置であって、
前記メニューデータは、飲食物を特定する特定情報が前記内容情報に関連付けられるとともに、前記飲食物の内容に対する副飲食となる飲食物を特定する特定情報が関連付けられ、
前記報知手段により報知させる前記情報は、前記メニュー検出手段にて検出した飲食物の特定情報に関連付けられた前記副飲食となる飲食物に関する情報を含む
ことを特徴とした情報配信装置。
【請求項５】
請求項１ないし請求項４のいずれかに記載の情報配信装置であって、
前記報知手段は、画面表示により報知をする表示手段であり、
入力操作により飲食物を注文する旨を入力設定させる入力手段を具備した
ことを特徴とした情報配信装置。
【請求項６】
請求項５に記載の情報配信装置であって、
前記メニュー検出手段は、さらに前記入力手段による前記飲食物を注文する旨の入力設定に基づいて、前記飲食物の内容を検出する
ことを特徴とした情報配信装置。
【請求項７】
請求項１ないし請求項６に記載の情報配信装置であって、
前記飲食物を提供する地点周辺の店舗に関する店舗情報を記憶する店舗情報記憶手段を具備し、
前記報知手段により報知させる前記情報は、前記店舗に関する情報である
ことを特徴とした情報配信装置。
【請求項８】
飲食物を提供する地点周辺の店舗に関する店舗情報を記憶する店舗情報記憶手段と、
前記店舗情報に基づいて前記店舗に関する報知をする報知手段と、
前記飲食物の残量を検出する残量検出手段と、
前記残量検出手段にて検出した残量に基づいて前記飲食動作の進行状況を判断する飲食進行状況判断手段と、
前記飲食進行状況判断手段により前記飲食動作の進行状況が飲食動作の終了間近および飲食動作の終了のうちの少なくともいずれか一方であると判断したことを認識すると、前記報知手段により前記店舗に関する報知を前記店舗情報に基づいて実施させる報知制御手段と、
を具備したことを特徴とした情報配信装置。
【請求項９】
請求項８に記載の情報配信装置であって、
前記店舗情報は、店舗の所在地に関する所在地情報と、店舗における商取引内容に関する商取引情報と、を備え、
前記報知手段は、前記所在地情報および商取引情報を画面表示により前記店舗に関する情報を報知する表示手段を備えた
ことを特徴とした情報配信装置。
【請求項１０】
請求項１ないし請求項９のいずれかに記載の情報配信装置であって、
前記飲食進行状況判断手段は、前記残量検出手段にて検出する残量の所定時間における変化量を演算し、この変化量が所定値以下であると判断すると飲食動作の終了間近および飲食動作の終了のうちの少なくともいずれか一方であると判断する
ことを特徴とした情報配信装置。
【請求項１１】
飲食物の内容に関する内容情報を有し前記飲食物に関するメニューデータを記憶するメニューデータ記憶手段を備えたサーバ装置と、
このサーバ装置にネットワークを介して各種情報を送受信可能に接続された端末装置とを具備し、
前記端末装置は、
報知手段と、
前記飲食物の内容を前記サーバ装置により前記メニューデータ記憶手段を検索させて前記ネットワークを介して前記検索結果のメニューデータを取得して認識するメニュー検出手段と、
前記飲食物の残量を検出する残量検出手段と、
前記残量検出手段にて検出した残量に基づいて前記飲食動作の進行状況を判断する飲食進行状況判断手段と、
前記飲食進行状況判断手段により判断される前記飲食動作の進行状況に応じて前記メニュー検出手段により検出された前記飲食物の内容に応じた情報を前記報知手段により報知させる報知制御手段とを具備した
ことを特徴とした情報配信システム。
【請求項１２】
演算手段により、報知手段で情報を報知させる情報配信方法であって、
飲食物の残量を検出し、
前記飲食物の残量に基づいて前記飲食動作の進行状況を判断し、
この判断した飲食動作の進行状況に応じて前記報知手段で前記情報を報知させる
ことを特徴とする情報配信方法。
【請求項１３】
演算手段を、請求項１ないし請求項１０のいずれかに記載の情報配信装置または請求項１１に記載の情報配信システムとして機能させる
ことを特徴とした情報配信プログラム。
【請求項１４】
請求項１２に記載の情報配信方法を演算手段に実行させる
ことを特徴とした情報配信プログラム。
【請求項１５】
請求項１３または請求項１４に記載の情報配信プログラムが演算手段に読取可能に記録された
ことを特徴とした情報配信プログラムを記録した記録媒体。
【発明の詳細な説明】
【技術分野】
【０００１】
本発明は、飲食動作の進行状況に応じて情報を配信する情報配信装置、そのシステム、その方法、そのプログラム、および、そのプログラムを記録した記録媒体に関する。
【背景技術】
【０００２】
従来、例えば飲食店などで利用されるテーブルに表示装置を備えた構成が知られている。このテーブルは、表示装置の表示面がテーブルの上面に臨む状態に表示装置が設けられ、料理のメニューなどが表示され、顧客がメニュー内容を認識できる構成が採られている（例えば、特許文献１参照）。
【０００３】
特許文献１に記載のものは、平板状表示面を有した表示パネルをテーブル板にて支持し、テーブル脚にて表示面が上方側に向けて水平に支持されテーブルとして使用され、周囲側に設置される椅子に腰掛けた鑑賞者に対して映像を表示する構成となっている。さらに、上面部には感圧入力シートが設けられている。そして、例えば料理のメニューを表示させ、感圧入力シートの各押圧操作部を押圧操作することにより、料理が注文される構成が採られている。
【０００４】
【特許文献１】特開平９−６２９８号公報（第２頁右欄−第６頁左欄、図４）
【発明の開示】
【発明が解決しようとする課題】
【０００５】
ところで、上述した特許文献１に記載のような表示装置を備えたテーブルを飲食店で利用する場合において、各種メニューを表示させたり、テレビ放送や映画などを表示させたりする場合、単にメニューが表示されるだけでは表示装置を設ける必要がなく、設備費用が多大となってしまう。一方、テレビ放送や映画などを表示させる場合では、飲食状況に関わらず画像が表示されたり、不用意に表示が切り替わったりするので、落ち着いて飲食できないおそれがあるなどの問題が一例として挙げられる。
【０００６】
本発明は、上述したような実情などに鑑みて、飲食動作の進行状況に応じて適切に情報を配信する情報配信装置、そのシステム、その方法、そのプログラム、および、そのプログラムを記録した記録媒体に関する。
【課題を解決するための手段】
【０００７】
請求項１に記載の発明は、報知手段と、飲食物の残量を検出する残量検出手段と、前記残量検出手段にて検出した前記飲食物の残量に基づいて飲食動作の進行状況を判断する飲食進行状況判断手段と、前記飲食進行状況判断手段により判断される前記飲食動作の進行状況に応じて前記報知手段により情報を報知させる報知制御手段と、を具備したことを特徴とした情報配信装置である。
【０００８】
請求項８に記載の発明は、飲食物を提供する地点周辺の店舗に関する店舗情報を記憶する店舗情報記憶手段と、前記店舗情報に基づいて前記店舗に関する報知をする報知手段と、前記飲食物の残量を検出する残量検出手段と、前記残量検出手段にて検出した残量に基づいて前記飲食動作の進行状況を判断する飲食進行状況判断手段と、前記飲食進行状況判断手段により前記飲食動作の進行状況が飲食動作の終了間近および飲食動作の終了のうちの少なくともいずれか一方であると判断したことを認識すると、前記報知手段により前記店舗に関する報知を前記店舗情報に基づいて実施させる報知制御手段と、を具備したことを特徴とした情報配信装置である。
【０００９】
請求項１１に記載の発明は、飲食物の内容に関する内容情報を有し前記飲食物に関するメニューデータを記憶するメニューデータ記憶手段を備えたサーバ装置と、このサーバ装置にネットワークを介して各種情報を送受信可能に接続された端末装置とを具備し、前記端末装置は、報知手段と、前記飲食物の内容を前記サーバ装置により前記メニューデータ記憶手段を検索させて前記ネットワークを介して前記検索結果のメニューデータを取得して認識するメニュー検出手段と、前記飲食物の残量を検出する残量検出手段と、前記残量検出手段にて検出した残量に基づいて前記飲食動作の進行状況を判断する飲食進行状況判断手段と、前記飲食進行状況判断手段により判断される前記飲食動作の進行状況に応じて前記メニュー検出手段により検出された前記飲食物の内容に応じた情報を前記報知手段により報知させる報知制御手段とを具備したことを特徴とした情報配信システムである。
【００１０】
請求項１２に記載の発明は、演算手段により、報知手段で情報を報知させる情報配信方法であって、飲食物の残量を検出し、前記飲食物の残量に基づいて前記飲食動作の進行状況を判断し、この判断した飲食動作の進行状況に応じて前記報知手段で前記情報を報知させることを特徴とする情報配信方法である。
【００１１】
請求項１３に記載の発明は、演算手段を、請求項１ないし請求項１０のいずれかに記載の情報配信装置または請求項１１に記載の情報配信システムとして機能させることを特徴とした情報配信プログラムである。
【００１２】
請求項１４に記載の発明は、請求項１２に記載の情報配信方法を演算手段に実行させることを特徴とした情報配信プログラムである。
【００１３】
請求項１５に記載の発明は、請求項１３または請求項１４に記載の情報配信プログラムが演算手段に読取可能に記録されたことを特徴とした情報配信プログラムを記録した記録媒体である。
【発明を実施するための最良の形態】
【００１４】
以下、本発明に係る一実施の形態における構成を図面に基づいて説明する。本実施の形態では、飲食店に利用されるテーブル構造で飲食物に関して画面表示により報知する情報配信システムについて説明するが、画面表示に限らず、例えば音声により報知したり、印刷出力により報知したりするなど、いずれの構成が適用できる。また、飲食物に関する報知の他、他の店舗に関する報知をする構成としてもよい。さらには、システム構成に限らず１つの装置として構成してもよい。図１は、本実施の形態における情報配信システムの概略構成を示すブロック図である。図２は、端末装置を示す斜視図である。図３は、端末装置の表示装置本体の内部構成を示すブロック図である。図４は、サーバ装置の概略構成を示すブロック図である。
【００１５】
〔情報配信システムの構成〕
図１において、１００は演算手段としても機能し得る情報配信装置としての情報配信システムで、この情報配信システム１００は、飲食動作である食事の進行状況に応じて飲食物に関する報知や他の店舗に関する報知をするシステムである。そして、この情報配信システム１００は、ネットワーク２００を介して各種情報が送受信可能に接続された演算手段としても機能し得る複数の端末装置３００および演算手段としても機能し得るサーバ装置４００を備えている。
【００１６】
ネットワーク２００には、端末装置３００およびサーバ装置４００が接続されている。そして、ネットワーク２００は、端末装置３００およびサーバ装置４００とを情報の送受信が可能な状態に接続する。例えば、ＴＣＰ（Transmission Control Protocol）／ＩＰ（Internet Protocol）などの汎用のプロトコルに基づくインターネット、イントラネット、ＬＡＮ(Local Area Network)、無線媒体により情報が送受信可能な複数の基地局がネットワークを構成する通信回線網や放送網などのネットワーク、さらには、端末装置３００およびサーバ装置４００間で情報を直接送受信するための媒体となる無線媒体自体などが例示できる。ここで、無線媒体としては、電波、光、音波、電磁波などのいずれの媒体をも適用できる。また、ネットワーク２００には、他の店舗に設置された店舗サーバ装置５００が接続可能で、サーバ装置４００が店舗サーバ装置５００と送受信可能となっている。
【００１７】
（端末装置の構成）
端末装置３００は、画像データを画面表示するテーブル構造に構成され、例えば飲食店に設置される。そして、端末装置３００は、図２に示すように、表示装置本体３１０と、保護部材３２０と、テーブル脚３３０と、を備えている。
【００１８】
表示装置本体３１０は、ケース体３１１を有している。このケース体３１１は、例えばＡＢＳ（Acrylonitrile-butadiene-styrene）などの合成樹脂にて略薄型箱状に形成されている。そして、ケース体３１１の上面には、表示窓３１１Ａが開口形成されている。このケース体３１１内には、画像データを画面表示する表示面が表示窓３１１Ａに臨んで報知手段である表示手段としての表示パネル３１２が配設されている。表示パネル３１２としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１９】
保護部材３２０は、例えば透光性を有した硬質ガラスや硬質合成樹脂などにて略薄板状に形成された透明部材である。そして、この保護部材３２０は、表示装置本体３１０のケース体３１１の上面を覆う状態に積層されて一体的に設けられている。この保護部材３２０は、例えばねじ止めにより表示装置本体３１０に着脱可能に取り付けられる構成とすることが好ましい。
【００２０】
テーブル脚３３０は、例えば金属パイプなどにて形成され、表示装置本体３１０の裏面に一体的に取り付けられている。このテーブル脚３３０は、表示装置本体３１０の表示パネル３１２の表示面が水平面に略平行に表示装置本体３１０を支持する状態に一体的に取り付けられる。なお、このテーブル脚３３０についても、例えばねじ止めや端部の係合などにより表示装置本体３１０に着脱可能な構成とすることが好ましい。また、表示面の高さ位置を変更可能に支持する高さ調整機構を備えた構成とすることが好ましい。
【００２１】
そして、表示装置本体３１０は、図３に示すような内部構造となっている。すなわち、表示装置本体３１０は、ケース体３１１内に配設された、表示パネル３１２と、入力手段３１３と、発音手段３１４と、記録手段としての印刷手段３１５と、端末記憶手段３１６と、食器検出手段３１７と、残量検出手段３１８と、演算手段としても機能し得る端末演算装置３１９と、を備えている。
【００２２】
表示パネル３１２は、上述したように、画像データを画面表示するもので、端末演算装置３１９に接続されている。そして、表示パネル３１２は、端末演算装置３１９から出力される各種画像データを画面表示する。
【００２３】
入力手段３１３は、例えばキーボードやマウスなどで、入力操作される図示しない各種操作ボタンや操作つまみなどを有している。この操作ボタンや操作つまみの入力操作の内容としては、例えば端末装置３００の動作内容の設定事項や、画面表示される飲食物を注文、あるいは注文しない旨の設定、画面表示されるメニューの切替、画面表示される店舗の詳細な情報の開示を要求する旨の設定、発音状態や表示状態の調整などが例示できる。そして、入力手段３１３は、端末演算装置３１９に接続され、入力操作に対応して所定の信号を端末演算装置３１９へ出力して設定させる。なお、入力手段３１３としては、操作ボタンや操作つまみなどの入力操作に限らず、例えば音声入力など、設定入力可能ないずれの構成が適用できる。
【００２４】
発音手段３１４は、例えば図示しないスピーカおよび増幅器を備えている。そして、発音手段３１４は、端末演算装置３１９に接続され、端末演算装置３１９から出力されるアナログの音データを取得し、音としてスピーカから発音させる。
【００２５】
印刷手段３１５は、端末演算装置３１９に接続され、端末演算装置３１９による制御にて端末演算装置３１９から出力される印刷データを印刷処理する。印刷データとしては、例えば表示パネルに表示される店舗に関する店舗情報を印刷するために変換されたデータである。
【００２６】
端末記憶手段３１６は、端末演算装置３１９に各種情報を読み出し可能に記憶する。この端末記憶手段３１６には、端末装置３００を特定する端末固有情報が記憶されている。また、端末記憶手段３１６には、端末装置３００全体を動作制御するＯＳ（Operating System）上に展開される各種プログラムなどを記憶している。この端末記憶手段３１６は、例えばＨＤ（Hard Disk）、ＤＶＤ（Digital Versatile Disc）、光ディスク、メモリカードなどの記録媒体に読み出し可能に記憶するドライブやドライバなどを備えた構成や、ＣＭＯＳ（Complementary Metal-Oxide Semiconductor）メモリなどの各種メモリなどが例示できる。
【００２７】
食器検出手段３１７は、例えば食器６００の底部に一体的に設けられ各種情報を読み出し可能に記憶するＩＣ（Integrated Circuit）タグ６１０に記憶された食器情報としてのタグ情報を読み取る。そして、食器検出手段３１７は、端末演算装置３１９に接続され、読み取ったタグ情報を端末演算装置３１９へ出力する。ここで、タグ情報としては、例えば図示しないレコーダなどにて別途記録される他、あらかじめ記録されたＩＣタグを食器６００に貼り付けるなどしてもよい。また、タグ情報としては、食器６００を特定、すなわちその食器に盛り付けられる飲食物を特定可能ないずれのデータ構造とすることができる。
【００２８】
残量検出手段３１８は、例えば食器６００の底部に一体的に設けられ圧力センサ６２０を有しこの圧力センサ６２０で検出して出力される検出信号を送信する送信器６３０からの検出信号を受信する。この検出信号は、圧力センサ６２０にて検出する重量に対応した信号で、例えばその食器６００に盛り付けられる飲食物の重量に関する信号である。この食器６００に設けられた送信器６３０は、例えば表示装置本体３１０に設けられた発振器から出力される電磁波を直流に変換し、この変換した電気流を電源として駆動したり、着脱可能に食器６００に取り付けられる電池からの電力、あるいは食器６００に一体的に設けられ電磁波により蓄電される蓄電池からの電力により駆動したりするなど、いずれの構成が可能である。また、残量検出手段３１８は、例えば保護部材３２０の表面に設けた圧力センサ６２０を備えた構成としてもよい。そして、残量検出手段３１８は、端末演算装置３１９に接続され、送信器６３０からの検出信号を適宜変換して残量検出信号として端末演算装置３１９へ出力する。
【００２９】
端末演算装置３１９は、例えばＣＰＵ（Central Processing Unit）などにて構成され、図示しない、表示パネル３１２が接続される表示ポートと、入力手段３１３が接続される入力ポートと、発音手段３１４が接続される発音ポートと、印刷手段３１５が接続される印刷ポートと、端末記憶手段３１６が接続される接続ポートと、食器検出手段３１７が接続される食器検出ポートと、残量検出手段３１８が接続される残量検出ポートと、などを備えている。そして、端末演算装置３１９は、各種プログラムとして、端末通信手段３１９Ａと、食器種別認識手段３１９Ｂと、飲食進行状況判断手段３１９Ｃと、報知制御手段としても機能する発音制御手段３１９Ｄと、報知制御手段としての表示制御手段３１９Ｅと、を備えている。
【００３０】
端末通信手段３１９Ａは、ネットワーク２００を介して各種情報をサーバ装置４００と送受信させる。
【００３１】
食器種別認識手段３１９Ｂは、食器検出手段３１７と、食器６００に設けられたＩＣタグ６１０とにより、本発明のメニュー検出手段３４０を構成し、飲食物の内容を検出させる。すなわち、食器種別認識手段３１９Ｂは、食器検出手段３１７から出力されるタグ情報を取得する。そして、食器種別認識手段３１９Ｂは、取得したタグ情報および端末装置３００を特定する端末固有情報に検索を要求する旨の情報を関連付けた検索要求情報を生成する。そして、食器種別認識手段３１９Ｂは、端末通信手段３１９Ａによりネットワーク２００を介して生成した検索要求情報をサーバ装置４００へ送信させ、サーバ装置４００からのメニューデータの取得待機状態となる。また、食器種別認識手段３１９Ｂは、端末通信手段３１９Ａによりネットワーク２００を介してサーバ装置４００からメニューデータ、例えば詳細は後述するメニューデータのメニューＩＤ番号を受信したことを認識すると、このメニューデータのメニューＩＤ番号を取得して端末記憶手段３１６に出力し、一時的に記憶させる。
【００３２】
飲食進行状況判断手段３１９Ｃは、残量検出手段３１８から出力される残量検出信号に基づいて飲食動作の進行状況を判断する。すなわち、飲食進行状況判断手段３１９Ｃは、残量検出信号に基づいて飲食物の残量を判断、すなわち、圧力センサ６２０により検出する重量があらかじめ設定された閾値である所定値以下となったか否かを判断する。そして、所定値以下となったと判断した場合、食器６００に盛り付けられた飲食物の残量が少ないあるいは無いと判断し、飲食動作が終了間近あるいは終了と判断する。さらに、飲食進行状況判断手段３１９Ｃは、単位時間当たりの信号の変化状況を認識、すなわち圧力センサ６２０にて検出する飲食物の重量の減少する変化量を演算する。そして、演算した変化量があらかじめ設定された閾値である所定値以下となった場合、飲食物は残っているが食事の進行が所定時間以上停止していると判断し、飲食動作が終了したと判断する。そして、飲食進行状況判断手段３１９Ｃは、飲食動作が終了間近あるいは終了と判断すると、報知指令信号を生成し、端末通信手段３１９Ａによりネットワーク２００を介して生成した報知指令信号をサーバ装置４００へ送信させる。この送信される報知指令信号には、食器種別認識手段３１９Ｂにて取得したメニューデータのメニューＩＤ番号と、この端末装置３００の端末固有情報と、既に提供された飲食物と異なる他の飲食物である副飲食物（後述）に関するメニューデータさらにはこの端末装置３００が提供されている店舗の地点周辺の店舗に関する店舗情報の配信を要求する旨の信号と、が関連付けられたデータ構造となっている。
【００３３】
発音制御手段３１９Ｄは、飲食動作の進行状況に応じてメニューデータや店舗情報などの各種情報を報知、すなわち発音手段３１４のスピーカから発音させる。具体的には、発音制御手段３１９Ｄは、端末通信手段３１９Ａによりネットワーク２００を介してサーバ装置４００から送信される副飲食物に関するメニューデータおよび店舗情報を受信したことを認識すると、これらメニューデータおよび店舗情報に関連付けられた音データを取得する。そして、発音制御手段３１９Ｄは、取得した音データを、例えばデコード処理やデジタル−アナログ変換処理など適宜処理する。この後、処理した音データを発音手段３１４へ出力し、音データを発音手段３１４のスピーカから音として発音させて再生させる処理をする。
【００３４】
表示制御手段３１９Ｅは、飲食動作の進行状況に応じてメニューデータや店舗情報などの各種情報を報知、すなわち表示パネル３１２で画面表示させる。具体的には、表示制御手段３１９Ｅは、端末通信手段３１９Ａによりネットワーク２００を介してサーバ装置４００から送信される副飲食物に関するメニューデータおよび店舗情報を受信したことを認識すると、これらメニューデータおよび店舗情報に関連付けられた画像データを取得する。そして、表示制御手段３１９Ｅは、取得した画像データを例えばデコード処理するなど適宜処理する。この後、処理した画像データを表示パネル３１２へ出力し、画像データを表示パネル３１２で画面表示させる処理をする。
【００３５】
（サーバ装置の構成）
サーバ装置４００は、例えばパーソナルコンピュータやワークステーションなどが利用される。このサーバ装置４００は、図４に示すように、サーバ入力手段４１０と、サーバ表示手段４２０と、サーバ記憶手段４３０と、演算手段としても機能し得るサーバ演算装置４４０と、を備えている。
【００３６】
サーバ入力手段は、端末装置３００の入力手段３１３と同様に、入力操作される各種操作ボタンや操作つまみなどを有し、例えばサーボードやマウスなどが利用される。そして、サーバ入力手段４１０は、サーバ演算装置４４０に接続され、入力操作に対応した信号をサーバ演算装置４４０へ出力して設定させる。この入力操作の内容としては、例えばサーバ装置４００の動作内容の設定事項や、サーバ記憶手段に記憶されるメニューデータなどの入力や修正、端末装置３００の端末固有情報の入力設定などである。なお、このサーバ入力手段４１０も、サーバ表示手段４２０に設けられたタッチパネルや音声入力など、いずれの構成が適用できる。
【００３７】
サーバ表示手段４２０は、端末装置３００の表示パネル３１２と同様に、サーバ演算装置４４０に接続され、サーバ演算装置４４０による制御にてサーバ演算装置４４０から出力される画像データを画面表示する。このサーバ表示手段４２０も、表示パネル３１２と同様に、各種表示装置が利用できる。
【００３８】
サーバ記憶手段４３０は、端末記憶手段３１６と同様に、各種記録媒体を利用するものやメモリなどの各種情報を読み出し可能に記録する構成が利用できる。例えば、ＨＤ（Hard Disk）、ＤＶＤ（Digital Versatile Disc）、光ディスク、メモリカードなどの記録媒体に読み出し可能に記憶するドライブやドライバなどを備えた構成や、ＣＭＯＳ（Complementary Metal-Oxide Semiconductor）メモリなどの各種メモリなどが例示できる。そして、サーバ記憶手段４３０は、端末固有情報データベース４３１と、メニューデータ記憶手段としてのメニューデータベース４３２と、店舗データベース４３３と、を備えている。さらに、サーバ記憶手段４３０は、サーバ装置４００全体の動作制御するＯＳ上に展開される各種プログラムを記憶している。
【００３９】
端末固有情報データベース４３１は、端末固有情報と、端末装置３００と送受信するためのアドレス情報とを１つのレコードとして複数記憶するテーブル構造に構成されている。そして、端末固有情報データベース４３１は、端末固有情報およびアドレス情報をサーバ演算装置４４０が適宜読み出し可能に記憶する。
【００４０】
メニューデータベース４３２は、サーバ演算装置４４０が飲食物の内容に関する内容情報を有し飲食物に関するメニューデータを読み出し可能に記憶する。このメニューデータは、メニューを特定する特定情報であるメニューＩＤ番号と、飲食物を収容すなわち盛り付けられる皿やコップなどの食器６００の種別に関するタグ情報と、メニューの内容に関する内容情報と、このメニューの価格情報と、このメニューに対して副飲食物となるメニューのメニューＩＤ番号と、などの項目が１つのレコードとして関連付けられたデータ構造に構成されている。ここで、副飲食物としては、例えばメインディッシュに対する付け合わせとなる前菜やデザートあるいは飲み物などで、飲み物に対してはその飲み物に合った軽食やつまみ類、ケーキなどで、いわゆるサイドメニューやデザートメニューである。そして、メニューデータベースは、メニューデータを複数記録するテーブル構造に構成されている。また、メニューデータベースには、メニューＩＤ番号に関連付けられたメニューの画像データやメニューの音声による説明に関する音データが記憶されている。
【００４１】
店舗データベース４３３は、サーバ演算装置４４０が店舗に関する店舗情報を読み出し可能に複数記憶するテーブル構造に構成されている。この店舗情報としては、店舗を特定する特定情報である店舗ＩＤ番号と、店舗の所在地に関する所在地情報と、店舗における商取引内容に関する商取引情報と、などの項目が１つのレコードとして関連付けられたデータ構造に構成されている。そして、所在地情報としては、例えば住所などの文書データの他、地図上に所在地を表すアイコンが重畳された地図情報などが例示できる。また、商取引情報としては、例えばアクセサリの販売、洋服店、靴屋、美容院、映画館、ゲームセンタなどの店舗で提供する商品やサービスの分類に関する分類情報の他、その日の特売品や割引対象商品やサービスなどのお得情報などが例示できる。さらには、商取引情報として、店舗内や取扱商品、特売品などの画像データや音声による説明に関する音データなどが関連付けられていてもよい。そして、この店舗情報は、ネットワーク２００を介して取得する店舗サーバ装置５００から取得した店舗情報に基づいて生成されたものを記憶する。なお、店舗サーバ装置５００から出力される所定のデータ構造の店舗情報をそのまま記憶するテーブル構造としてもよい。
【００４２】
サーバ演算装置４４０は、図示しない、サーバ入力手段４１０が接続される入力ポートと、サーバ表示手段４２０が接続される表示ポートと、サーバ記憶手段４３０が接続される記憶ポートと、などを備えている。そして、サーバ演算装置４４０は、各種プログラムとして、サーバ通信手段４４１と、メニュー検索手段４４２と、副飲食物検索手段４４３と、店舗情報生成手段４４４と、店舗情報配信手段４４５と、などを備えている。
【００４３】
サーバ通信手段４４１は、ネットワーク２００を介して各種情報を端末装置３００と送受信させる。さらに、サーバ通信手段４４１は、ネットワーク２００を介して店舗サーバ装置５００から店舗情報を取得する。この店舗サーバ装置５００から取得した店舗情報は、店舗情報生成手段へ出力される。
【００４４】
メニュー検索手段４４２は、サーバ通信手段４４１によりネットワーク２００を介して端末装置３００から検索要求情報を受信したことを認識すると、この検索要求情報のタグ情報に基づいて、サーバ記憶手段４３０のメニューデータベース４３２を検索し、同一のタグ情報を有するメニューデータを検出する。さらに、メニュー検索手段４４２は、検索要求情報の端末固有情報に基づいて、サーバ記憶手段４３０の端末固有情報データベースから同一の端末固有情報に関連付けられたアドレス情報を読み取る。そして、メニュー検索手段４４２は、読み取ったアドレス情報に基づいて、検出したメニューデータのメニューＩＤ番号をサーバ通信手段４４１によりネットワーク２００を介して所定の端末装置３００へ送信する処理をする。
【００４５】
副飲食物検索手段４４３は、サーバ通信手段４４１によりネットワーク２００を介して端末装置３００から報知指令信号を受信したことを認識すると、この報知指令信号のメニューＩＤ番号に基づいてそのメニューの副飲食物のメニューＩＤ番号を取得する。そして、このメニューＩＤ番号のメニューデータを取得する。そして、副飲食物検索手段４４３は、副飲食物に関するメニューデータを取得した旨の信号を出力する。
【００４６】
店舗情報生成手段４４４は、店舗サーバ装置５００から送信される店舗情報を取得し、この店舗情報に基づいて店舗データベース４３３に記憶される所定のデータ構造の店舗情報を生成させる。そして、この生成した店舗情報を店舗データベース４３３へ出力し、適宜記憶させる。
【００４７】
店舗情報配信手段４４５は、副飲食物検索手段４４３から出力される副飲食物に関するメニューデータを取得した旨の信号を認識すると、店舗データベース４３３から最寄りの店舗情報を検索して取得する。この取得する店舗情報は、例えば飲食物を提供する店舗の地点情報から店舗情報の所在地情報に基づいて所定の範囲内に位置する所在地情報を有する店舗情報を検出する。そして、検出された店舗情報は、副飲食物に関するメニューデータとともに、上述したように、報知指令信号の端末固有情報に対応するアドレス情報に基づいて、サーバ通信手段４４１によりネットワーク２００を介して所定の端末装置３００へ送信される。
【００４８】
〔情報配信システムの動作〕
次に、上述した情報配信システム１００の情報配信動作について図５を参照して説明する。図５は、情報配信動作を示すフローチャートである。
【００４９】
まず、ネットワーク２００を介して、飲食物を提供する店舗の所定の位置に設置した端末装置３００とその店舗に設置したサーバ装置４００とを接続し、情報配信システム１００を構築する際、端末固有情報およびアドレス情報を関連付けて端末固有情報データベース４３１を構築する。また、あらかじめＩＣタグ６１０が設けられた食器６００に盛り付ける飲食物を設定しておき、メニューデータベース４３２を構築しておく。
【００５０】
そして、顧客の注文に応じて調理された飲食物をあらかじめ設定された食器６００に盛り付ける。この飲食物が盛り付けられた食器６００を周囲に顧客が着席している端末装置３００の保護部材３２０上に載置する。この食器６００の載置により、端末装置３００の食器検出手段３１７がタグ情報を読取可能となり、タグ情報を読み取る（ステップＳ１０１）。そして、食器検出手段３１７は、読み取ったタグ情報を端末演算装置３１９へ出力する。
【００５１】
この食器検出手段３１７からのタグ情報の出力により、端末演算装置３１９の食器種別認識手段３１９Ｂが取得し、このタグ情報にこの端末装置３００の端末固有情報と検索を要求する旨の情報を関連付けた検索要求情報を生成する（ステップＳ１０２）。そして、食器種別認識手段３１９Ｂは、端末通信手段３１９Ａによりネットワーク２００を介して生成した検索要求情報をサーバ装置４００へ送信させる（ステップＳ１０３）。
【００５２】
この検索要求情報をサーバ通信手段４４１によりネットワーク２００を介して受信したことをサーバ装置４００のメニュー検索手段４４２が認識すると（ステップＳ１０４）、この検索要求情報のタグ情報に基づいて、サーバ記憶手段４３０のメニューデータベース４３２を検索し、同一のタグ情報を有するメニューデータを検出する。（ステップＳ１０５）さらに、メニュー検索手段４４２は、検索要求情報の端末固有情報に基づいて、サーバ記憶手段４３０の端末固有情報データベース４３１から同一の端末固有情報に関連付けられたアドレス情報を読み取る（ステップＳ１０６）。そして、メニュー検索手段４４２は、読み取ったアドレス情報に基づいて、検出したメニューデータのメニューＩＤ番号をサーバ通信手段４４１によりネットワーク２００を介して所定の端末装置３００へ送信させる（ステップＳ１０７）。
【００５３】
このサーバ装置４００から送信されるメニューＩＤ番号を端末通信手段３１９Ａによりネットワーク２００を介して受信したことを端末装置３００の食器種別認識手段３１９Ｂが認識すると（ステップＳ１０８）、取得したメニューＩＤ番号を端末記憶手段３１６へ出力して一時的に記憶させる（ステップＳ１０９）。
【００５４】
さらに、食器６００の載置により、端末装置３００の残量検出手段３１８が食器６００の圧力センサ６２０にて検出して出力される検出信号を送信器６３０から取得する。そして、この残量検出手段３１８で取得した検出信号は端末演算装置３１９へ残量検出信号として出力される。この残量検出信号を飲食進行状況判断手段３１９Ｃが取得し、残量検出信号に基づいて飲食物の残量を判断する（ステップＳ１１０）。具体的には、残量検出信号における圧力センサ６２０にて検出する飲食物の重量が、あらかじめ設定された所定値以下となったか否かを判断する。そして、所定値以下となったと判断した場合、食器６００に盛り付けられた飲食物の残量が少ない、あるいは無くなったと判断する。この判断により、飲食進行状況判断手段３１９Ｃは、飲食動作が終了間近あるいは終了と判断し、その飲食物に関連するステップＳ１０９で一時的に記憶したメニューＩＤ番号を有する報知指令信号を生成する（ステップＳ１１１）。そして、飲食進行状況判断手段３１９Ｃは、端末通信手段３１９Ａによりネットワーク２００を介して生成した報知指令信号をサーバ装置４００へ送信させる（ステップＳ１１２）。
【００５５】
一方、ステップＳ１１０において、圧力センサ６２０にて検出する飲食物の重量が、所定値以下となっていないと判断した場合、圧力センサ６２０にて検出する飲食物の重量の減少する変化量を演算する。そして、演算した変化量が、あらかじめ設定された所定値以下となったか否かを判断する（ステップＳ１１３）。このステップＳ１１３で所定値以下となっていない場合には、ステップＳ１１０に戻って飲食物の残量を判断する処理に戻る。一方、残量の変化量が所定値以下となったと判断した場合、飲食物は残っているが食事の進行が所定時間以上停止していると判断する。この判断により、飲食進行状況判断手段３１９Ｃは、飲食動作が終了したと判断し、ステップＳ１１１に進んで報知指令信号を生成する処理に進む。
【００５６】
そして、ステップＳ１１２で端末装置３００からネットワーク２００を介して送信される報知指令信号をサーバ通信手段４４１により受信したことを副飲食物検索手段４４３が認識すると（ステップＳ１１４）、副飲食物検索手段４４３は報知指令信号のメニューＩＤ番号に基づいて、そのメニューデータをメニューデータベース４３２を検索し、そのメニューの副飲食物のメニューＩＤ番号を読み取る。そして、この副飲食物のメニューＩＤ番号に基づいてさらにメニューデータベース４３２を検索し、副飲食物のメニューデータを取得する（ステップＳ１１５）。この後、副飲食物検索手段４４３は、副飲食物に関するメニューデータを取得した旨の信号を出力する。
【００５７】
さらに、この副飲食物に関するメニューデータを取得した旨の信号を店舗情報配信手段４４５が認識すると、店舗情報配信手段４４５は、店舗データベース４３３から飲食物を提供する店舗の地点情報から店舗情報の所在地情報に基づいて所定の範囲内に位置する最寄りの所在地情報を有する店舗情報を検出する（ステップＳ１１６）。この後、サーバ演算装置４４０は、報知指令信号の端末固有情報に基づいて端末固有情報データベース４３１から同一の端末固有情報に関連付けられたアドレス情報を読み取る。そして、サーバ演算装置４４０は、読み取ったアドレス情報に基づいて、検出した副飲食物に関するメニューデータおよび店舗情報をサーバ通信手段４４１によりネットワーク２００を介して所定の端末装置３００へ送信させ（ステップＳ１１７）、サーバ装置４００の処理が終了する。
【００５８】
このサーバ装置４００からの副飲食物に関するメニューデータおよび店舗情報を端末通信手段３１９Ａが受信したことを発音制御手段３１９Ｄが認識すると（ステップＳ１１８）、発音制御手段３１９Ｄはメニューデータおよび店舗情報に関連付けられた音データを取得する。そして、発音制御手段３１９Ｄは、取得した音データを適宜処理して発音手段３１４へ出力して音データを発音させ、例えば音声により副飲食物について追加注文を促す報知および最寄りの店舗について紹介して来店を促す報知をする。さらに、表示制御手段３１９Ｅは、メニューデータおよび店舗情報に関連付けられた画像データを取得する。そして、表示制御手段３１９Ｅは、取得した画像データを適宜処理して表示パネル３１２へ出力して画面表示させ、副飲食物について追加注文を促す報知および最寄りの店舗について紹介して来店を促す報知をする。このように、音声や画面表示にて飲食物と異なる他の飲食物である副飲食物の追加注文や他の店舗への来店を促す報知をし（ステップＳ１１９）、端末装置３００の処理が終了する。
【００５９】
この後、例えば入力手段３１３により顧客が追加注文を要求する旨を入力操作することで、その副飲食物に関するメニューデータを追加注文を要求する旨の信号と関連付けられた追加要求情報として店舗に送信され、追加注文が実施される。また、入力手段３１３による店舗情報の印刷出力を要求する旨を認識すると、端末演算装置３１９は選択された店舗情報を、例えば来店時に割引特典が得られる割引券とともに印刷手段３１５にて印刷出力する。
【００６０】
〔情報配信システムの作用効果〕
上述したように、上記実施の形態では、残量検出手段３１８にて検出した飲食物の残量に基づいて、飲食進行状況判断手段３１９Ｃにより飲食動作の進行状況を判断する。そして、飲食進行状況判断手段３１９Ｃにて飲食動作の終了間近および飲食動作の終了のうちの少なくともいずれか一方であると判断したことを認識すると、メニュー検出手段３４０にてメニューデータに基づいて検出した飲食物の内容に基づき、発音手段３１４および表示パネル３１２にて飲食物と異なる他の飲食物である副飲食物に関してメニューデータに基づいて発音制御手段３１９Ｄおよび表示制御手段３１９Ｅにより、発音および画面表示にて報知させる。このため、食事の終了間近あるいは終了した時点で、サイドメニューやデザートメニューなどの副飲食物に関する情報が自動的に報知され、店員が顧客の食事状況を観察して適切なタイミングで追加注文を顧客に伺う手間がなく、飲食動作の進行状況に対応して適切に副飲食物に関する情報の配信ができ、顧客の食意欲を効果的に喚起でき、飲食物の提供を容易に拡大できる。したがって、この情報配信システム１００の利用の拡大も容易に図ることができる。
【００６１】
また、サーバ装置４００にメニューデータや店舗情報を格納し、ネットワーク２００を介して副飲食物や店舗に関する報知のための情報を端末装置３００で取得させて報知するシステム構成としている。このため、データを一括管理でき、データの更新や追加、修正などの保守管理が容易にできるとともに、端末装置３００にデータを格納させないので端末装置３００の構成を簡略化できる。
【００６２】
そして、食事しているあるいは食事が終了した飲食物と異なる他の飲食物として副飲食物に関して報知している。このため、単におすすめメニューなどを報知するのではなく、食事していた飲食物に対する飲み物や付け合わせなどのサイドメニューやデザートメニューなどの副飲食物が報知されるので、良好に顧客の食意欲を喚起させることができ、飲食物の提供を容易に拡大できる。
【００６３】
さらに、メニューデータとして、飲食物を特定するメニューＩＤ番号に、メニューの内容に関する内容情報と、この内容に対して副飲食物となるメニューのメニューＩＤ番号とを関連付けたデータ構造に構築している。このため、飲食物に対する副飲食物の検索が、副飲食物に関するデータ構造を構築することなく互いが副飲食物の関係となる場合でもそれぞれのメニューデータを構築するのみでよく、メニューデータに関連付けられた副飲食物のメニューＩＤ番号に基づいて、そのメニューデータを検索する簡単な検索方法ででき、簡単なデータ構造で容易に副飲食物を検索できる構成が容易に得られ、メニューデータの更新や修正などのデータの構築や保守管理も容易にできる。
【００６４】
そして、メニューデータに飲食物を収容する食器６００の種別に関するタグ情報を関連付けたデータ構造とし、メニュー検出手段３４０によりタグ情報を検出し、メニューデータに基づいて飲食物の内容を判断、具体的にはタグ情報をサーバ装置４００に送信してタグ情報に基づいてメニューデータを検索させて返信させることで飲食物を特定している。このため、飲食物の内容を食器６００の種別により容易に判断でき、飲食物に対する副飲食物に関する情報配信をする構成が容易に得られる。
【００６５】
また、メニューデータとして価格情報を関連付けたデータ構造としている。このため、副飲食物に関する報知の際に価格も報知できるとともに、例えば会計処理の際にあらかじめ食事したメニューデータの会計情報の総額を演算することで、あらかじめ店舗側で会計額を認識することも容易にでき、円滑な会計処理が得られる。さらには、例えば各金融機関が管理する付加価値通信網(Value-Added Network:ＶＡＮ)であるいわゆる金融ＶＡＮに構築されたファームバンキング(Firm Banking:ＦＢ)を利用して自動決済処理も可能で、顧客および店舗の双方における使い勝手をより向上できる。
【００６６】
さらに、メニュー検出手段３４０として、食器種別認識手段３１９Ｂと、食器検出手段３１７と、食器６００に設けられたＩＣタグ６１０とにより構成して食器の種別を認識させて飲食物の内容を判断している。このため、食器６００に設けたＩＣタグ６１０のタグ情報を食器検出手段３１７にて読み取る簡単な構成で飲食物の内容を判断できる。また、ＩＣタグ６１０を利用するため、このＩＣタグ６１０を貼り付けなるなど、容易に食器６００を構成させることができ、食器６００の重量の増大や特別な食器を形成する必要がないとともに、底部に貼り付けることもできることから、外観が損なわれることも防止できる。
【００６７】
また、食事の終了間近あるいは終了した時点で、飲食物を提供する店舗から最寄りの店舗に関する店舗情報を報知させている。このため、食事の終了あるいは終了間近に自動的に他の店舗情報が報知されるので、食事後に予定が決まっていない顧客に対して他の店舗への来店が促され、飲食動作の進行状況に対応して適切な情報配信ができ、無造作に店舗情報を配信する場合に比して、この情報配信システム１００を利用する他の店舗での集客性を容易に向上できる。したがって、この情報配信システム１００の利用の拡大をも容易に図ることができる。
【００６８】
さらに、店舗情報として、店舗の所在地に関する所在地情報と、その店舗における商取引に関する商取引情報とを有したデータ構造に構築し、店舗に関する報知としてその店舗の所在地および商取引内容を報知させている。このため、食後の予定が決まっていない顧客に対して来店を簡単なデータ構造で適切に促すことができ、簡単な構成で集客支援のシステム構成が得られ、利用の拡大が容易にできる。さらに、店舗サーバ装置５００から適宜サーバ装置４００へ店舗から店舗情報を送信させ、サーバ装置４００で報知するための店舗情報に処理してデータベースとして格納させる構成としているので、随時新しい店舗情報を報知させることが容易にでき、より集客性を向上でき、利用の拡大も容易に図ることができる。
【００６９】
そして、端末装置３００として、表示パネルの表示面が情報に臨む状態にテーブル脚３３０にて支持したテーブル型構造としている。このため、飲食の際のテーブルとして利用できるとともに、上部に飲食物が盛り付けられた食器６００が直接載置されるので、食事の際に必ず表示が視界に入るため、良好に副食物あるいは他の店舗に関する報知ができる。
【００７０】
また、報知した店舗情報を印刷出力させる印刷手段３１５を設けている。このため、食事後にその店舗を出ても、来店を促された店舗の場所を容易に確認できるとともに、印刷によりあらかじめ店舗情報を確認したことの認証にもなるので、例えば来店時に割引特典が得られる割引券を印刷するなど、より集客性を向上させることもできる。
【００７１】
〔実施形態の変形〕
なお、本発明は、上述した各実施の形態に限定されるものではなく、本発明の目的を達成できる範囲で以下に示される変形をも含むものである。
【００７２】
すなわち、本発明の端末装置３００として、飲食店に設置されるテーブル型構造で説明したが、例えばテーブル上に載置されるスタンド型や壁掛け構造の端末装置とするなど、いずれの形態とすることができる。また、ネットワーク２００を介して接続する端末装置３００およびサーバ装置４００のシステム構成としたが、例えば端末装置３００内にサーバ装置４００の構成を設けた１つの装置構成として、各端末装置３００毎に副飲食物あるいは店舗情報を報知する構成としてもよい。
【００７３】
そして、上述したように、副飲食物および店舗情報の双方を報知する構成としたが、飲食動作の進行状況に応じていずれか一方のみ報知する構成としてもよい。さらに、報知する構成としては、発音および表示の双方としたが、いずれか一方のみでもよい。すなわち、発音手段３１４や発音制御手段３１９Ｄ、あるいは表示パネル３１２や表示制御手段３１９Ｅを設けなくてもよい。さらには、印刷手段３１５を設けなくてもよい。そして、入力手段３１３により追加注文や印刷出力の設定などを実施可能としたが、単に報知するのみでもよい。
【００７４】
また、メニューデータとしては、上述したデータ構造に限らず、副飲食物のメニューデータが検索可能に飲食物のメニューデータに関連付けられて検出可能なデータ構造であればよい。さらに、画像データや音声データなどを関連付けなくてもよい。
【００７５】
さらに、飲食物の内容を判断する構成として、上述したように、食器の種別に関するタグ情報に基づいて判断したが、この方法に限られない。例えば撮像装置を用いて飲食物を撮像し、あらかじめ撮像しておいた飲食物の画像データとを対比し、飲食物の内容を画像処理により判断するなどしてもよい。さらに、食器の種別を判断する構成として、ＩＣタグ６１０を用いたタグ情報を読み取る構成に限らず、例えば食器に所定の共振周波数を有する共振回路を備え、端末装置３００に共振回路の共振周波数を測定する測定装置を設けて共振周波数により食器の種別を認識するなどしてもよい。あるいは、食器に磁性体を設けたり磁性体を混入して形成した食器を用いたりし、テーブルに埋め込まれるか貼り付けられた共振回路の共振周波数が、食器の近接によって変化する性質を利用し、共振周波数の変化量により食器の種別を認識したりするなどしてもよい。さらには、食器に設けられた記憶素子に、飲食物を盛り付けた際にメニューの内容を表すメニューデータを、レコーダを用いて記憶させる構成とするなどしてもよい。
【００７６】
また、タグ情報を有する検索要求情報に基づいてサーバ装置４００でメニューデータを検索させてメニューＩＤ番号を端末装置３００へ返信して説明したが、メニューデータを返信してもよい。さらには、検索したメニューデータのメニューに対する副飲食物を検索し、あらかじめ副飲食物のメニューデータを送信しておき、飲食進行状況判断手段３１９Ｃにて飲食動作の終了間近あるいは終了と判断したときに、あらかじめ取得しておいた副飲食物のメニューデータを表示させて追加注文を促す報知をするなどしてもよい。
【００７７】
さらに、副飲食物に関するメニューデータとともに店舗情報を端末装置３００へ送信したが、メニューデータのみとしてもよい。さらには、メニュー検出手段３４０を設けず、飲食動作の終了間近あるいは終了と判断したときに、サーバ装置４００から店舗情報を取得して、飲食後に来店を促す報知をするなどしてもよい。
【００７８】
そして、飲食物の残量を検出する方法としては、上述したように、圧力センサ６２０を利用する構成の他、例えば食器にナイフやフォーク、スプーン、箸、氷などが接触した際に生じる振動を、食器に内臓または貼り付けられた振動センサにより検出し、この振動の周波数の変化状況により判断したり、振動の周波数スペクトルの半値幅の大きさやその変化状況により判断したりするなどしてもよい。
【００７９】
また、飲食動作の終了間近および飲食動作の終了の判断としても、終了間近あるいは終了のいずれのタイミングで副飲食物に関するメニューデータや店舗情報などを報知させてもよい。
【００８０】
そして、副飲食物に関するメニューデータが画面表示されて追加注文を入力手段３１３の所定の入力操作により実施させる構成で説明したが、例えば初めの注文の際に、メニューデータがあらかじめ画面表示されており、その画面表示に基づいて入力手段３１３による注文する旨の入力操作により飲食物を注文する構成を付加してもよい。この構成によれば、メニュー検出手段３４０として、飲食物の内容を入力手段３１３の入力操作により選択されメニューデータを認識することで認識でき、飲食物の内容を検出するためのＩＣタグ６１０や食器検出手段３１７などの構成を用いる必要がなく、より構成の簡略化が得られる。
【００８１】
また、店舗情報を被記録物としての記録用紙に印刷出力する印刷手段３１５について説明したが、例えばメモリカードなどの被記録物に記録させたり、顧客が携帯する携帯電話を被記録物として記録させたりするなど、いずれの方法により店舗情報を記録させてもよい。なお、顧客が携帯する携帯電話に記録させる構成とすることで、情報を携帯電話へ転送させるデジタル処理の構成を設ければよく、端末装置３００の小型化が図れるとともに、印刷用紙が不要で、効率的な店舗情報の記録形態を提供できる。
【００８２】
その他、本発明の実施の際の具体的な構造および手順は、本発明の目的を達成できる範囲で他の構造などに適宜変更できる。
【００８３】
〔実施の形態の効果〕
上述したように、残量検出手段３１８にて検出した飲食物の残量に基づいて、飲食進行状況判断手段３１９Ｃにて飲食動作の進行状況を判断すると、この飲食動作の進行情報に応じて発音制御手段３１９Ｄや表示制御手段３１９Ｅにより発音や画面表示にて副飲食物に関する情報や店舗情報などの情報を報知させる。このため、例えば食事の終了間近あるいは終了した時点で、サイドメニューやデザートメニューなどの副飲食物に関する情報や他の店舗情報が自動的に報知され、店員が顧客の食事状況を観察して適切なタイミングで追加注文を顧客に伺う手間がなく、また食事後に予定が決まっていない顧客に対して他の店舗への来店が促されるなど、飲食動作の進行状況に対応して適切に副食物に関する情報や店舗情報などの配信ができ、顧客の食意欲を効果的に喚起でき飲食物の提供を拡大したり、集客性を向上したりすることなどが容易にできる。
【図面の簡単な説明】
【００８４】
【図１】本実施の形態における情報配信システムの概略構成を示すブロック図である。
【図２】前記一実施の形態における端末装置を示す斜視図である。
【図３】前記一実施の形態における端末装置の表示装置本体の内部構成を示すブロック図である。
【図４】前記一実施の形態におけるサーバ装置の概略構成を示すブロック図である。
【図５】前記一実施の形態における情報配信動作を示すフローチャートである。
【符号の説明】
【００８５】
１００…演算手段としても機能し得る情報配信装置としての情報配信システム
２００…ネットワーク
３００…演算手段としても機能し得る端末装置
３１２…報知手段としての表示手段である表示パネル
３１３…入力手段
３１４…報知手段としての発音手段
３１８…残量検出手段
３１９…演算手段としても機能し得る端末演算装置
３１９Ｂ…飲食進行状況判断手段
３１９Ｄ…報知制御手段としての発音制御手段
３１９Ｅ…報知制御手段としての表示制御手段
３４０…メニュー検出手段
４００…演算手段としても機能し得るサーバ装置
４３２…メニューデータ記憶手段としてメニューデータベース
４３３…店舗情報記憶手段としての店舗情報データベース
４４０…演算手段としても機能し得るサーバ演算装置
【図１】
2005284504.tif 000003
【図２】
2005284504.tif 000004
【図３】
2005284504.tif 000005
【図４】
2005284504.tif 000006
【図５】
2005284504.tif 000007